(57)【要約】      （修正有）【課題】釣糸等の糸状体を付けた遊技球を不正に操作して遊技球の入賞を検出させる不正入賞行為を効果的に抑止することが可能な構成の弾球遊技機の球戻り防止装置を提供する。【解決手段】遊技領域内に打ち出された遊技球が発射レール１２内に戻ってくることを防止する球戻り防止装置５０であって、遊技盤に対して略垂直方向に延びた揺動軸６１に基部９１が枢結され、この基部９１から一端側に向かって延びる開閉部９３が揺動軸６１を中心として出口開口１２ｃを閉止する位置と出口開口１２ｃを開放する位置との間で揺動自在な揺動部材９０を備え、揺動部材９０は出口開口１２ｃを閉止する方向に常時付勢され、発射レール１２を通ってきた遊技球により開閉部９３が押圧されたときにその押圧力によって出口開口１２ｃを開放する方向に揺動し、揺動部材９０における開閉部９３の先端に刃状の切断部９４を備る。【選択図】図１４
2012050767.tif 000002
【特許請求の範囲】
【請求項１】
遊技球発射機構により打球発射された遊技球を遊技盤上に設けられた発射レールによりガイドして前記遊技盤上の遊技領域内に放出する構成の弾球遊技機において、前記発射レールにおける遊技球の前記遊技領域内への出口開口の近傍に設けられ、前記遊技領域内に打ち出された遊技球が前記発射レール内に戻ってくることを防止する球戻り防止装置であって、
前記遊技盤に対して略垂直方向に延びた揺動軸に基部が枢結され、前記基部から一端側に向かって延びる開閉部が前記揺動軸を中心として前記出口開口を閉止する位置と前記出口開口を開放する位置との間で揺動自在な揺動部材を備え、
前記揺動部材は、前記出口開口を閉止する方向に常時付勢され、前記発射レールを通ってきた遊技球により前記開閉部が押圧されたときにその押圧力によって前記出口開口を開放する方向に揺動し、
前記揺動部材における前記開閉部の先端に刃状の切断部を備えて構成されることを特徴とする弾球遊技機の球戻り防止装置。
【請求項２】
前記揺動軸を有し前記遊技盤上に固定された揺動部材支持体を更に備え、
前記揺動部材が、前記基部と、前記基部から一端側に延びる前記開閉部と、前記基部を間に挟んで他端側に設けられ前記揺動軸を中心として揺動自在であって自重によって前記開閉部を前記出口開口を閉止する方向に付勢するウェイト部とを備え、
前記ウェイト部は、前記揺動部材の揺動位置に応じて前記揺動部材支持体内から前記出口開口内に突出し、
前記ウェイト部の前記突出部に、遊技球の通過方向に対して交差する方向に延びる複数の突起部を設け、
前記突起部が、前記出口開口内における遊技球の通過方向に対して略直交する方向に向かってＶ字形状に開いたＶ字溝を有し、
前記複数の突起部のＶ字溝の溝底が、遊技球の通過方向に対して略直交する方向に偏倚して設けられていることを特徴とする請求項１に記載の弾球遊技機の球戻り防止装置。
【請求項３】
遊技球発射機構により打球発射された遊技球を遊技盤上に設けられた発射レールによりガイドして前記遊技盤上の遊技領域内に放出する構成の弾球遊技機において、前記発射レールにおける遊技球の前記遊技領域内への出口開口の近傍に設けられ、前記遊技領域内に打ち出された遊技球が前記発射レール内に戻ってくることを防止する球戻り防止装置であって、
前記遊技盤上に固定され、前記遊技盤に対して略垂直方向に延びた揺動軸を有する揺動部材支持体と、
前記揺動軸に枢結された基部、前記基部から一端側に向かって延び前記揺動軸を中心として前記出口開口を閉止する位置と前記出口開口を開放する位置との間で揺動自在な開閉部、及び前記基部を間に挟んで他端側に設けられ前記揺動軸を中心として揺動自在であって自重によって前記開閉部を前記出口開口を閉止する方向に付勢するウェイト部を有する揺動部材とを備え、
前記揺動部材は、前記ウェイト部により前記出口開口の閉止方向に常時付勢され、前記発射レール内を通ってきた遊技球により前記開閉部が押圧されたときにその押圧力によって前記出口開口の開放方向に揺動するようになっており、
前記ウェイト部は、前記揺動部材の揺動位置に応じて前記揺動部材支持体から前記出口開口内に突出し、
前記ウェイト部の前記突出部に刃状の切断部を備えて構成されることを特徴とする弾球遊技機の球戻り防止装置。
【発明の詳細な説明】
【技術分野】
【０００１】
本発明は、パチンコ機等の弾球遊技機に関し、更に詳細には、入賞口に入球した遊技球を不正に操作して連続的に遊技球の入賞を検出させる不正行為を防止するように構成した弾球遊技機の球戻り防止装置に関する。
【背景技術】
【０００２】
弾球遊技機の代表例であるパチンコ機には、前面に遊技領域を形成する遊技盤を立設姿勢で収容保持した前枠に、前背面に遊技球の処理経路を一体に設けるとともに、背面に各種制御基板が取り付けられる裏セット盤を取り付けて構成され、発射装置により遊技領域上部に導いた遊技球を落下させる過程で遊技領域内に設けた各種の入賞装置に入賞させる遊技を行うように構成されている。
【０００３】
このようなパチンコ機では、遊技球が一般入賞装置に入球した場合にはそれに対応した個数の賞球が払い出され、始動入賞装置に入球した場合にはこれに基づいて当り外れや演出パターンの抽選が行われるとともに所定個数の賞球が払い出されるようになっている。この抽選に当選して大当たりが発生したときには、遊技者に有利な特別遊技状態に移行して、一般にアタッカーと称される大入賞装置の入賞口が複数回連続的に開放し、入球個数に対応した相当数の賞球が払い出されることとなる（例えば、特許文献１を参照）。
【先行技術文献】
【特許文献】
【０００４】
【特許文献１】特開２００９−２６８５６６号公報
【発明の概要】
【発明が解決しようとする課題】
【０００５】
パチンコ機には、各種入賞装置に対応して通過型センサ等からなる入賞球検出器が設けられており、この入賞装置に入球する遊技球が入賞球検出器を通過することによって該入賞装置での遊技球の入賞が検出され、入球個数に応じた賞球の払い出しや当り外れの抽選等が適時実行されるようになっている。ここで、正常な遊技では原則として遊技球１球につき１回のみ入賞球検出器への通過が検出されるものであるが、近年においては、所定長さの釣糸等の糸状体を付けた遊技球を入賞装置に入球させて、該糸状体を手前に引っ張ったり奥側へ送り込んだりする不正な操作をすることで、この遊技球を入賞球検出器に何度も繰り返し通過させて（遊技球の連続入賞を検出させて）、多数の賞球を払い出させる不正入賞行為（ゴト行為）が頻発しており、その被害が大きな問題になってきている。そのため、遊技機メーカ各社においても、このような不正入賞行為を効果的に抑止する策を講じることが課題となっている。
【０００６】
本発明は、このような課題に鑑みてなされたものであり、釣糸等の糸状体を付けた遊技球を不正に操作して遊技球の入賞を検出させる不正入賞行為を効果的に抑止することが可能な構成の弾球遊技機の球戻り防止装置を提供することを目的とする。
【課題を解決するための手段】
【０００７】
このような目的達成のために、第１の本発明に係る弾球遊技機の球戻り防止装置は、遊技球発射機構により打球発射された遊技球を遊技盤上に設けられた発射レールによりガイドして遊技盤上の遊技領域内に放出する構成の弾球遊技機において、発射レールにおける遊技球の遊技領域内への出口開口の近傍に設けられ、遊技領域内に打ち出された遊技球が発射レール内に戻ってくることを防止する球戻り防止装置であって、遊技盤に対して略垂直方向に延びた揺動軸（例えば、実施形態における支軸６１）に基部が枢結され、この基部から一端側に向かって延びる開閉部が揺動軸を中心として出口開口を閉止する位置と出口開口を開放する位置との間で揺動自在な揺動部材を備え、揺動部材は出口開口を閉止する方向に常時付勢され、発射レールを通ってきた遊技球により開閉部が押圧されたときにその押圧力によって出口開口を開放する方向に揺動し、揺動部材における開閉部の先端に刃状の切断部を備えて構成される。
【０００８】
なお、上述の発明において、揺動軸を有し遊技盤上に固定された揺動部材支持体を更に備え、揺動部材が、基部と、この基部から一端側に延びる開閉部と、基部を間に挟んで他端側に設けられ揺動軸を中心として揺動自在であって自重によって開閉部を出口開口を閉止する方向に付勢するウェイト部とを備え、このウェイト部は、揺動部材の揺動位置に応じて揺動部材支持体内から前記出口開口内に突出し、ウェイト部の上記突出部に遊技球の通過方向に対して交差する方向に延びる複数の突起部を設け、突起部が出口開口内における遊技球の通過方向に対して略直交する方向に向かってＶ字形状に開いたＶ字溝を有し、複数の突起部のＶ字溝の溝底（例えば、実施形態におけるザグリ部９８）が遊技球の通過方向に対して略直交する方向に偏倚して設けられていることが好ましい。
【０００９】
第２の本発明に係る弾球遊技機の球戻り防止装置は、遊技球発射機構により打球発射された遊技球を遊技盤上に設けられた発射レールによりガイドして遊技盤上の遊技領域内に放出する構成の弾球遊技機において、発射レールにおける遊技球の遊技領域内への出口開口の近傍に設けられ、遊技領域内に打ち出された遊技球が発射レール内に戻ってくることを防止する球戻り防止装置であって、遊技盤上に固定され、遊技盤に対して略垂直方向に延びた揺動軸（例えば、実施形態における支軸６１）を有する揺動部材支持体と、揺動軸に枢結された基部、基部から一端側に向かって延び揺動軸を中心として出口開口を閉止する位置と出口開口を開放する位置との間で揺動自在な開閉部、及び基部を間に挟んで他端側に設けられ揺動軸を中心として揺動自在であって自重によって開閉部を出口開口を閉止する方向に付勢するウェイト部を有する揺動部材とを備え、揺動部材はウェイト部により出口開口の閉止方向に常時付勢され、発射レール内を通ってきた遊技球により開閉部が押圧されたときにその押圧力によって出口開口の開放方向に揺動するようになっており、ウェイト部は揺動部材の揺動位置に応じて揺動部材支持体から出口開口内に突出し、ウェイト部の上記突出部に刃状の切断部（例えば、実施形態における突起部９６の縁部９６ａ）を備えて構成される。
【発明の効果】
【００１０】
第１の本発明に係る弾球遊技機の球戻り防止装置は、遊技盤に対して略垂直方向に延びた揺動軸に基部が枢結され、基部から一端側に向かって延びる開閉部が揺動軸を中心として出口開口を閉止する位置と出口開口を開放する位置との間で揺動自在な揺動部材を備え、揺動部材は出口開口を閉止する方向に常時付勢され、発射レールを通ってきた遊技球により開閉部が押圧されたときにその押圧力によって出口開口を開放する方向に揺動し、揺動部材における開閉部の先端に刃状の切断部を備えて構成されている。そのため、糸状体の取り付けられた遊技球が遊技球発射装置によって打球発射され球戻り防止装置を越えて出口開口から遊技領域内へ放出されると、該遊技球は重力の作用を受けて遊技盤上を流下するので、該遊技球に付けられた糸状体が揺動部材の開閉部先端に引掛けられ繋留された状態となる。この状態で外部から糸状体を引張ったり送り込んだりする操作が行われると、この糸状体が揺動部材における開閉部先端の刃状の切断部に摺接して切断されるため、該遊技球から糸状体を分断して不正な操作を抑止することができる。従って、糸状体の付いた遊技球を不正に操作して入賞球検出器に連続的な入賞を検出させる不正入賞行為を効果的に抑止して損害の発生を未然に防止することが可能になる。
【００１１】
また、上述の発明において、ウェイト部が揺動部材の揺動位置に応じて揺動部材支持体内から出口開口内に突出し、ウェイト部の突出部に遊技球の通過方向に対して交差する方向に延びる複数の突起部を設け、この突起部が出口開口内における遊技球の通過方向に対して略直交する方向に向かってＶ字形状に開いたＶ字溝を有し、これら複数の突起部のＶ字溝の溝底が遊技球の通過方向に対して略直交する方向に偏倚して設けられることが好ましい。これにより、揺動部材の揺動によってウェイト部が出口開口側に突出したときに、糸状体が遊技球の通過方向に対して略直交する方向に偏倚して設けられた複数のＶ字溝の溝底に互い違いの位置で引掛かり二点間において係止されることで、糸状体に適度な張力を付与することができる。そのため、揺動部材の開閉部先端に繋留された糸状体を切断部に深く喰い込ませて圧接することができため、この刃状の切断部によって糸状体を切断して、遊技球から糸状体をより確実に分断することが可能になる。
【００１２】
第２の本発明に係る弾球遊技機の球戻り防止装置は、遊技盤上に固定され、遊技盤に対して略垂直方向に延びた揺動軸を有する揺動部材支持体と、揺動軸に枢結された基部、基部から一端側に向かって延び揺動軸を中心として出口開口を閉止する位置と出口開口を開放する位置との間で揺動自在な開閉部、及び基部を間に挟んで他端側に設けられ揺動軸を中心として揺動自在であって自重によって開閉部を出口開口を閉止する方向に付勢するウェイト部を有する揺動部材とを備え、揺動部材はウェイト部により出口開口の閉止方向に常時付勢され、発射レール内を通ってきた遊技球により開閉部が押圧されたときにその押圧力によって出口開口の開放方向に揺動するようになっており、ウェイト部は揺動部材の揺動位置に応じて揺動部材支持体から出口開口内に突出し、ウェイト部の上記突出部に刃状の切断部を備えて構成されている。そのため、糸状体の取り付けられた遊技球が遊技球発射装置によって打球発射され球戻り防止装置を越えて出口開口から遊技領域内へ放出されると、該遊技球は重力の作用を受けて遊技盤上を流下するので、該遊技球に付けられた糸状体が揺動部材の開閉部先端に引掛けられ繋留された状態となる。この状態で発射レールを通ってきた後続の遊技球が揺動部材を押圧して揺動部材を揺動させると、揺動部材のウェイト部が出口開口側に突出して、このウェイト部に設けられた刃状の切断部が糸状体に圧接して切断するため、該遊技球から糸状体を分断して不正な操作を抑止することができる。従って、糸状体の付いた遊技球を不正に操作して入賞球検出器に連続的な入賞を検出させる不正入賞行為を効果的に抑止して損害の発生を未然に防止することが可能になる。
【図面の簡単な説明】
【００１３】
【図１】本発明に係る不正防止構造を適用させた球戻り防止装置を備えるパチンコ機の正面図である。
【図２】上記パチンコ機の背面図である。
【図３】上記パチンコ機に設けられた遊技盤の正面図である。
【図４】上記パチンコ機における主制御装置および球払出制御装置の制御形態を主として示すブロック図である。
【図５】球戻り防止装置を遊技盤上に取り付けた状態を示す斜視図である。
【図６】球戻り防止装置を遊技盤上に取り付けた状態を示す正面図である。
【図７】球戻り防止装置を遊技盤上に取り付けた状態を示す平面図である。
【図８】球戻り防止装置の正面図である。
【図９】球戻り防止装置の要部を示す斜視図である。
【図１０】球戻り防止装置からカバー部材を取り外した状態を示す正面図である。
【図１１】球戻り防止装置における揺動部材の正断面図である。
【図１２】図１１における矢印XII-XIIに沿って示す断面図である。
【図１３】（Ａ）は球戻り防止装置における揺動部材が閉止状態にあるときの図１０に相当する図であり、（Ｂ）は球戻り防止装置における揺動部材が開放状態にあるときの図１０に相当する図である。
【図１４】（Ａ）は球戻り防止装置における揺動部材の切断部に糸状体が引掛かった状態を示す図１０に相当する図であり、（Ｂ）は球戻り防止装置における揺動部材のウェイト部に糸状体が接触した状態を示す図１０に相当する図である。
【図１５】球戻り防止装置における揺動部材の切断部及びザグリ部に糸状体が引掛かった状態を示す斜視図である。
【発明を実施するための形態】
【００１４】
以下、本発明の好ましい実施形態について図面を参照して説明する。本発明に係る球戻り防止装置を備えた弾球遊技機の代表例としてパチンコ機ＰＭの正面図および背面図を図１および図２に示すとともに、このパチンコ機ＰＭに装着される遊技盤１０の正面図を図３に示しており、先ずこの図を参照してパチンコ機ＰＭの全体構成について概要説明する。
【００１５】
パチンコ機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００１６】
前枠２の前面側には、前枠２の上部前面域に合わせた方形状のガラス扉５および球皿ユニット６が正面左側部に設けられたヒンジ機構７ａ，７ｂ，７ｃを利用して横開き開閉および着脱可能に組み付けられ、施錠装置４を利用して常には前枠２の前面を覆う閉鎖状態に保持される。球皿ユニット６の正面右側下部には遊技球の発射操作を行う操作ハンドル８が設けられている。ガラス扉５の背後に位置する前枠２の上部には、遊技盤１０を着脱可能に収容する方形枠状の収容枠（図示しない）が設けられており、この収容枠に所定のゲージ設定で構成された遊技盤１０が着脱可能にセット保持され、常には閉鎖保持されるガラス扉５を通して遊技盤１０の正面の遊技領域ＰＡを臨ませるようになっている。
【００１７】
遊技盤１０は、図３に示すように、ルータ加工等を施した矩形状の積層合板に、所定の図柄が印刷されたセルを貼り付けて成型される化粧板１１を基板として構成される。化粧板１１の前面には、外レール１２ａ及び内レール１２ｂが円弧状に固設されて遊技球が転動可能な略円形の遊技領域ＰＡが区画形成されている。外レール１２ａ及び内レール１２ｂにより遊技球を遊技領域ＰＡに誘導する発射レール１２が形成され、この発射レール１２における遊技球の出口開口１２ｃの近傍位置（内レール１２ｂの先端部）に、発射レール１２を通って出口開口１２ｃから遊技領域ＰＡ内に放出された遊技球が再び発射レール１２に逆戻りするのを防止する球戻り防止装置５０が設けられている。なお、球戻り防止装置５０についての詳細な説明は後述することとする。
【００１８】
遊技盤１０の遊技領域ＰＡには、多数本の遊技釘１３とともに風車１４や各種の入賞装置１５，１６，１７，１８などが配設され、遊技領域ＰＡの中央部近傍には、各種の演出パターンの画像および図柄を表示する図柄表示装置２１が取り付けられたセンター飾り２０が配設される。また、遊技領域ＰＡの下端には、各入賞装置に入賞せずに落下した遊技球を遊技盤１０の裏面側へ排出させるアウト口１９が設けられている。
【００１９】
前枠２の裏面側には、図２に示すように、外枠１の内寸サイズよりも幾分小さめの矩形枠状に形成された裏セット盤３０が着脱可能に取り付けられている。裏セット盤３０は、遊技盤１０の背後に位置する上部領域に、前後連通して開口する大型の窓口開口３０ａを有する枠状に形成されており、この窓口開口３０ａの上方に、遊技球を貯留する球貯留タンク３１、及び球貯留タンク３１と繋がってゆるく傾斜するタンクレール３２が設けられ、背面視における窓口開口３０ａの右側に、タンクレール３２により前後各１列の整列状態で導かれた遊技球を遊技盤１０における入賞状態に基づいて払い出す球払出装置３３、球払出装置３３から払い出された遊技球を球皿ユニット６の球皿に導く払出通路などの賞球機構が設けられている。
【００２０】
また、裏セット盤３０の背面には、制御装置、電子部品に電力を供給する電源ユニット４１、パチンコ機ＰＭの作動を統括的に制御する主制御装置４２、画像表示、効果照明、効果音等の遊技演出の制御を主に行うサブ制御装置４３、遊技球の払出作動を制御する球払出制御装置４４等の各種基板や電子部品などが取り付けられ、これらが図示省略するコネクタケーブルで接続されてパチンコ機ＰＭが作動可能に構成される。
【００２１】
さて、このように概要構成されるパチンコ機ＰＭにあって、遊技領域ＰＡに発射された遊技球が各入賞装置に落入したときの遊技球の払い出し処理について、関連する各部の構成をもう少し詳しく説明する。遊技盤１０に設けられる入賞装置には、その外観意匠や入賞時の動作を含めて種々の形態のものがあり、ゲージ設定に応じてどのような形態の入賞装置を用いるものであってもよいが、例えば図３に例示した遊技盤１０では、一般入賞装置１５、始動入賞装置１６、大入賞装置１７，１８の３種類の入賞装置を設けた例を示している。
【００２２】
一般入賞装置１５は、遊技球が落入可能な入賞口１５ａを有する固定入賞具であり、この入賞口１５ａに落入したセーフ球はセーフ球通路を通って化粧板１１の裏面側に排出され、該裏面側に設けられた入賞球検出器１５ｓ（図４を参照）を通過することによって入賞が検出されるようになっている。入賞球検出器１５ｓは、遊技球の通過を検出可能な通過型センサである限り特に限定されず、例えば、磁気センサや光センサ、近接スイッチ等の非接触動作型でも、マイクロスイッチのような接触動作型でもよい（以下に示す入賞球検出器１６ｓ，１７ｓ，１８ｓにおいても同様とする）。
【００２３】
始動入賞装置１６は、図柄の変動開始の条件を定める入賞具であり、この入賞口１６ａに落入したセーフ球はセーフ球通路を通って化粧板１１の裏面側に排出され、該裏面側に設けられた入賞球検出器１６ｓ（図４を参照）を通過することによって入賞が検出されるようになっている。
【００２４】
大入賞装置１７，１８は、いわゆるアタッカー型の可動入賞装置であり、横長方形状の大入賞口１７ａ，１８ａを覆う開閉扉が開閉可能に取り付けられている。開閉扉は通常閉止されており、遊技中における所定の入賞条件の下で特別遊技状態が成立したときに、開閉扉の上部が前方にほぼ９０度倒されて大入賞口１７ａ，１８ａが開放される。大入賞口１７ａ，１８ａに落入したセーフ球はセーフ球通路を通って化粧板１１の裏面側に排出され、該裏面側に領域開口に対応して設けられた入賞球検出器１７ｓ，１８ｓ（図４を参照）を通過することによって入賞が検出されるようになっている。なお、入賞球検出器１５ｓ，１６ｓ，１７ｓ，１８ｓにより検出された遊技球は、遊技済み球排出通路を流下して遊技島の回収装置に排出される。
【００２５】
以上のように構成されるパチンコ機ＰＭは、外枠１が遊技施設の遊技島（設置枠台）に固定設置され、前枠２、ガラス扉５、球皿ユニット６等が閉鎖施錠された状態で遊技に供され、球皿ユニット６の球皿に遊技球を貯留させて発射ハンドル８を回動操作することにより遊技が開始される。発射ハンドル８が回動操作されると、球皿ユニット６の球皿に貯留された遊技球が、球皿ユニット６の裏面側に配設される遊技球発射装置（図示せず）により１球ずつ遊技領域ＰＡに打ち出され、パチンコゲームが展開される。
【００２６】
ここで、図４に主制御装置４２および球払出制御装置４４の制御形態を主として示すブロック図を示している。この図４に示すように、入賞球検出器１５ｓ，１６ｓ，１７ｓ，１８ｓの検出信号は主制御装置４２に出力されており、主制御装置４２は入力された検出信号に基づいてパチンコ機ＰＭの作動を統括的に制御する。例えば、遊技領域ＰＡを転がり落ちる遊技球が一般入賞装置１５に落入すると、入球した遊技球が入賞球検出器１５ｓを通過する際に入賞が検出され、その検出信号が主制御装置４２に入力される。主制御装置４２は、この検出信号から、遊技球が入賞装置に落入したこと、および入賞した入賞装置が一般入賞装置１５であることを検知し、球払出制御装置４４に対して入賞条件に応じた球払出指令コマンドを出力して球払出装置３３を作動させ、一般入賞装置１５に入賞した場合の褒章として予め設定された所定個数の賞球を球皿ユニット６の球皿に払い出させる。
【００２７】
また、始動入賞装置１６に遊技球が落入して入賞球検出器１６ｓから検出信号が出力されると、主制御装置４２はこの検出信号から、遊技球が落入したこと、および入賞した入賞装置が始動入賞装置１６であることを検知し、この入賞条件に応じた遊技プログラムを呼び出して実行する。具体的には、主制御装置４２内で図柄の組み合わせ抽選を行うとともに、サブ制御装置４３に抽選結果を出力して図柄表示装置２１に表示させる図柄を変動および停止制御させ、停止図柄の組み合わせに応じた作動、例えばサイドランプの点滅表示やスピーカによる効果音の発生等を行わせる。また、主制御装置４２は、球払出制御装置４４に対して入賞条件に応じた球払出指令コマンドを出力して球払出装置３３を作動させ、始動入賞装置１６に入賞した場合の褒章として予め設定された所定個数の賞球を球皿ユニット６の球皿に払い出させる。
【００２８】
主制御装置４２による抽選結果が大当たりである場合（変動停止時の図柄が大当たりの図柄で停止する場合）、図柄表示装置２１には、例えば、スロットマシンの図柄表示を模した装飾図柄を一致させるような表示態様を有して表示され、特別遊技が実行される。特別遊技においては、大入賞装置１７，１８の作動により大入賞口１７ａ，１８ａが開放される。そして、例えば、大入賞口１７ａ，１８ａが約３０秒間開放された後、または９球以上の遊技球が大入賞装置１７，１８に入賞した後、大入賞口１７ａ，１８が一旦閉鎖され、このような開閉動作が所定回数（例えば１５回）継続して繰り返される。大入賞装置１７，１８に遊技球が落入する度に、予め設定された所定個数の遊技球が賞球として球払出装置３３より払い出される。
【００２９】
さて、このように概要構成されるパチンコ機ＰＭにおいて、正常な遊技では原則として遊技球１球につき１回のみ入賞球検出器への通過が検出されるものであるが、近年においては、入賞装置に落入した１個の遊技球を不正な操作によって入賞球検出器の導入口に連続して通過させて、多数の賞球を払い出させる不正入賞行為（ゴト行為）が頻発している。
【００３０】
この代表的な手口を概要説明すると、まず、所定長さを有する釣糸等の糸状体の一端側を遊技球に固着させ、この糸状体の他端側を不正行為者自身が掌で掴み、このような細工を施した遊技球（以下において「糸付球」と称する）を球皿ユニット６の球皿に貯留された他の遊技球の間に忍ばせて、他の遊技球とともに球皿から１球ずつ順番に遊技球発射装置へ供給させて遊技球発射装置により発射レール１２を通して遊技領域ＰＡ内へ送り込む。糸付球が遊技領域ＰＡまで達すると、ガラス扉５の外側から強力な磁石を用いてこの遊技球を入賞装置（１回の賞球数が最も多い一般入賞装置１５が狙われ易い傾向にある）まで誘導して当該入賞装置の入賞口へ落入させる。遊技球が入賞口からセーフ球通路に導かれて入賞球検出器の導入口を通過すると、主制御装置４２により遊技球の入賞が検出されて球払出装置３３により入賞条件に応じた個数の賞球が球皿ユニット６の球皿へ払い出されることになる。不正行為者は、このように賞球が払い出されたことをもって、糸付球がターゲットである入賞球検出器へ到達したことを認識し、自身の掌に掴んでいる糸状体の他端側を手前に引っ張ったり奥側へ送り込んだりする操作をして、糸付球を入賞球検出器の導入口に何度も繰り返し通過させることで、遊技球の連続入賞を不正に検出させて多数の賞球を獲得している。これが、最近になって頻発している糸付球を用いた不正入賞行為の全貌である。
【００３１】
そこで、このような不正入賞行為を防止すべく、前述した遊技球の逆戻りを防止するための球戻り防止装置５０に不正防止構造が備えられている。以下、この球戻り防止装置５０の構成について、図５〜図１３を追加参照しながら説明する。ここで、図５は球戻り防止装置５０を遊技盤１０上に取り付けた状態を示す斜視図、図６は球戻り防止装置５０を遊技盤１０上に取り付けた状態を示す正面図、図７は球戻り防止装置５０を遊技盤１０上に取り付けた状態を示す平面図、図８は球戻り防止装置５０の正面図、図９は球戻り防止装置５０の要部を示す斜視図、図１０は球戻り防止装置５０からカバー部材を取り外した状態を示す正面図、図１１は球戻り防止装置５０における揺動部材の正断面図、図１２は図１１における矢印XII-XIIに沿って示す断面図、図１３（Ａ）は球戻り防止装置５０における揺動部材が閉止状態にあるときの図１０に相当する図であり、図１３（Ｂ）は球戻り防止装置５０における揺動部材が開放状態にあるときの図１０に相当する図である。
【００３２】
球戻り防止装置５０は、遊技盤１０上における内レール１２ｂの上端部に設けられた揺動部材支持体６０と、この揺動部材支持体６０に枢結されて遊技盤１０と平行な面内（垂直面内）で揺動変位可能な揺動部材９０とを有して構成される。
【００３３】
揺動部材支持体６０は、内レール１２ｂの上端部に一体的に形成されたベース部材７０と、このベース部材７０にカバー部材取付ネジＢ２によって着脱自在に取り付けられるカバー部材８０とから構成されており、ベース部材７０にカバー部材８０が組み付けられた状態でその内部に揺動部材９０の一部を収容する空間６２（図１０を参照）が画成されている。
【００３４】
ベース部材７０は、発射レール１２に沿って全体として右斜め上方へ向かって細長く延びる形状をしており、遊技盤１０の前面側に当接される略板状の支持部７１と、この支持部７１の下端から前方に延びて揺動部材９０の下方部を覆う正面視略コ字状の側壁部７３とを備えている。支持部７１の先端部には、遊技盤１０の前面側に形成された位置決め孔（図示せず）に嵌挿可能な円筒状の位置決めボス７２が後方に突設されている。側壁部７３の上端には、揺動部材９０に当接可能に構成されて揺動部材９０の揺動を制止するための板状の規制片７４が左斜め上方に向けて突設されている。また、側壁部７３の略中央にはカバー部材８０側に突出して延びた円筒状のベース部材側突起７５が設けられ、上端部にはカバー部材８０を取り付けるためのカバー部材取付ネジＢ２の凸条と螺合する凹条を内周面に有したカバー部材取付ネジ孔７６が設けられ、更に下端部には前方側から順番に、後述するカバー部材側突起８４を嵌挿可能な大径の突起挿入孔７７と、揺動部材支持体６０を遊技盤１０上に固定するための固定ネジＢ１が挿通される小径のベース部材側挿入孔７８とが前後方向に延びて同軸的に設けられている。
【００３５】
カバー部材８０は、ベース部材７０の形状に合わせた細長い形状をしており、カバー部材取付ネジＢ２が挿通されるカバー部材取付ネジ挿入孔８１と、ベース部材７０とカバー部材８０との位置決め用としてベース部材側突起７５が挿入される突起挿入孔８２と、遊技盤１０への取付用の固定ネジＢ１が挿通されるカバー部材側挿入孔８３とが設けられている。カバー部材８０の後面側には、ベース部材７０の突起挿入孔７７に嵌挿される円筒状のカバー部材側突起８４が突設されており、このカバー部材側突起８４の中心に上記のカバー部材側挿入孔８３が前後方向に貫通して設けられ、カバー部材側突起８４が突起挿入孔７７に嵌挿されたときにカバー部材側挿入孔８３とベース部材側挿入孔７８とが同軸的に連通するようになっている。
【００３６】
揺動部材９０は、内部に円筒状の支軸（揺動軸）６１を挿入可能な支軸挿入孔９２が形成された略円筒状の基部９１と、この基部９１から半径方向外方（上方）に直線状に延びて設けられた細長形状の開閉部９３と、基部９１を挟んで開閉部９３とはほぼ反対方向（下方）に設けられた円筒状のウェイト部９５と、このウェイト部９５に着脱自在に取り付けられる金属製の錘９９とを有して構成される。基部９１の支軸挿入孔９２に挿入される支軸６１の一端部はベース部材７０の支軸固定孔（図示せず）に嵌合され、支軸６１の他端部はカバー部材８０の支軸固定孔（図示せず）に嵌合されるようになっており、これにより揺動部材９０が支軸６１を中心として垂直面内で揺動可能である。
【００３７】
開閉部９３は、矩形平板状に形成されており、その揺動位置に応じた突出長で揺動部材支持体６０から外方へ突出するようになっている。この開閉部９３の表面側は発射レール１２を通ってきた遊技球を接触させるための発射側接触面９３ａであり、裏面側は遊技領域ＰＡから発射レール１２に向けて逆戻りする遊技球を接触させるための戻り側接触面９３ｂである。開閉部９３の戻り側接触面９３ｂはベース部材６０の規制片６４と当接可能であり、このように戻り側接触面９３ｂが規制片６４に当接することにより、揺動部材９０の時計回り方向への揺動が制止されるようになっている。
【００３８】
開閉部９３の先端には、この開閉部９３の幅方向（換言すれば、遊技球の通過方向に略直交する方向）に沿って刃先線が延びる鋸刃形状（いわゆるテープカッター形状）の切断部９４がむき出しの状態で形成されている。この切断部９４は、揺動部材９０を射出成形等の成形加工することによって開閉部９３の先端部に一体的に形成され、この先端部を成形金型のパーティングライン面（ＰＬ面：図１１を参照）と一致するように配置し、このパーティングラインの位置に形成された突起（バリ）を利用することによって、開閉部９３の先端部をシャープエッジ形状の切れ刃として容易に形成することができるとともに、切断性能を向上させることができる。
【００３９】
また、図７に示すように、球戻り防止装置５０は内レール１２ｂの上端部において化粧板１１とガラス扉５のガラスアセンブリ５ａとの間に挟まれた状態で配置されており、揺動部材９０において切断部（切れ刃）９４が形成される幅方向長さを、発射レール１２内において遊技球Ｂを化粧板１１又はガラスアセンブリ５ａに当接させたときに、平面視において当該遊技球Ｂの中心（中心軸線Ｘを参照）が必ず切断部９４と重なり得るように、化粧板１１及びガラスアセンブリ５ａの内側端から遊技球Ｂの半径値を超えない範囲に、切断部９４の両端部が位置するような領域に亘って形成している。これにより、遊技球発射装置（図示せず）によって打ち出された遊技球Ｂが発射レール１２上を化粧板１１側（セル面側）に寄って通過するときでもガラスアセンブリ側に寄って通過するときでも、遊技球Ｂの中心が切断部９４の直上を通過するようになっており、不正な糸付球が発射レール１２上を通過する場合には糸付球から延びる糸状体を確実に切断部９４に引掛けることを可能にしている。
【００４０】
ウェイト部９５の中央には、前後方向に開口する錘取付孔９５ａが形成されており、この錘取付孔９５ａの内周面に設けられた凹条に錘９９の外周面に設けられた凸条が螺合されることによって、錘９９が錘取付孔９５ａに（すなわちウェイト部９５に）取り付けられている。このウェイト部９５は、その揺動位置に応じて揺動部材支持体６０から外方へ突出するようになっている。ウェイト部９５の外周面には、山型の突起部９６，９６が揺動部材９０の幅方向に沿って略平行に一対設けられており、各突起部９６には上方に向かって開くＶ字状の溝（Ｖ字溝）９７が形成され、このＶ字溝９７を画成する突起部９６の縁部９６ａは尖鋭な刃状に（すなわち、切断部として機能するように）形成されている。一方の突起部９６のＶ字溝９７と他方の突起部９６のＶ字溝９７とはほぼ同じ深さに形成されているが、互いの溝底（谷底）は揺動部材９０の幅方向に対して偏倚して形成されており（すなわち、遊技球の通過方向から見て重合しないように形成されており）、その溝底（谷底）には、例えば釣糸の線径よりも幾分大き目な凹溝状のザグリ部９８がそれぞれ形成されている。また、ウェイト部９５はベース部材７０の側壁部７３に当接可能であり、このようにウェイト部９５が側壁部７３に当接することにより、揺動部材９０の反時計回り方向への揺動が制止されるようになっている。
【００４１】
このような球戻り防止装置５０を組み立てるには、先ず、ベース部材７０の支軸固定孔（図示せず）に嵌挿された支軸６１を揺動部材９０の支軸挿通孔９２に挿入し、揺動部材９０をベース部材７０側に取り付ける。続いて、カバー部材８０をベース部材７０に取り付けるが、このとき、ベース部材７０に設けられたベース部材側突起７５が突起挿入孔８２に挿入されるようにするとともに、カバー部材８０に設けられたカバー部材側突起８４が突起挿入孔７７に挿入されることで、ベース部材７０とカバー部材８０とが位置整合し、これらの部材に囲まれて揺動部材９０が支軸６１を中心として揺動自在に支持される。そして、カバー部材取付ネジＢ２をカバー部材８０の表面側からカバー部材取付ネジ挿入孔８１に挿入し、ベース部材７０側のカバー部材取付ネジ孔７６に螺挿する。これによりベース部材７０とカバー部材８０とが結合され、揺動部材９０は支軸６２を中心に、開閉部９３及びウェイト部９５がベース部材７０の側壁部７３により囲まれる空間６２内において動き得る範囲で揺動自在な状態となる。
【００４２】
ここで、揺動部材９０の反時計回り方向への揺動は、ウェイト部９５がベース部材７０の側壁部７３に当接したところで制限され、時計回り方向への揺動は、開閉部９３がベース部材７０の規制片７４に当接したところで制限される。よって、揺動部材９０は、ウェイト部７５を側壁部７３に当接させる位置（これを「非揺動位置」と称する）と、開閉部９３を規制片７４に当接させる位置（これを「最大揺動位置」と称する）との間で揺動することが可能である。換言すれば、揺動部材９０は、発射レール１２の出口開口１２ｃを閉止する位置（非揺動位置）と、出口開口１２ｃを開放する位置（最大揺動位置）との間で揺動することができる。なお、ここで出口開口１２ｃの閉止とは、出口開口１２ｃを完全閉止する意味に限定されず、遊技領域ＰＡ内の遊技球が発射レール１２側へ逆戻りするのを妨げる程度の閉止状態をも含む概念である。また、出口開口１２ｃの開放とは、出口開口１２ｃを完全開放する意味に限定されず、発射レール１２ｃを通ってきた遊技球が遊技領域ＰＡへ放出されるのを妨げない程度の開放状態をも含む概念である。
【００４３】
このようにして組み立てられた球戻り防止装置５０は、図８等に示すように、ウェイト部９５（錘９９）の自重によりバランスがとれた姿勢、すなわち、揺動部材９０が非揺動位置に位置して開閉部９３が内レール１２ｂの上端部の右方をほぼ鉛直方向に延び、且つ開閉部９３の上端部が外レール１２ａと内レール１２ｂとの間のほぼ中間の高さに位置する姿勢で遊技盤上１０に取り付けられる。この球戻り防止装置５０が遊技盤１０の上記所定位置に取り付けられた状態では、揺動部材９０の開閉部９３は発射レール１２上における遊技球の出口開口１２ｃを閉止した状態となる。なお、球戻り防止装置５０の遊技盤１０上への取り付けは、揺動部材支持体６０の位置決めボス７２を遊技盤１０前面の位置決め孔（図示せず）に嵌挿し、固定ネジＢ１をカバー部材８０の表面側から挿入孔８３，７８を通して遊技盤１０に捻じ込むことによってなされる。
【００４４】
球戻り防止装置５０が遊技盤１０上の所定位置に取り付けられた状態では、ウェイト部９５の下端がベース部材７０の側壁部７３に当接された非揺動位置に位置しているので（図１３（ａ）を参照）、この位置から反時計回り方向へは揺動することができず、時計回り方向への揺動のみが許容される。そして、その時計回り方向への揺動限界は、開閉部９３をベース部材７０の規制片７４に当接させるまで（最大揺動位置に至るまで）となる（図１３（Ｂ）を参照）。
【００４５】
次に、以上のように構成される球戻り防止装置５０の作動について、図１４及び図１５を追加参照しながら説明する。ここで、図１４（Ａ）は球戻り防止装置５０における揺動部材９０の切断部９４に糸状体Ｉが引掛かった状態を示す図１０に相当する図であり、図１４（Ｂ）は球戻り防止装置５０における揺動部材９０のウェイト部９５に糸状体Ｉが接触した状態を示す図１０に相当する図であり、図１５は球戻り防止装置５０における揺動部材９０の切断部９４及びザグリ部９８に糸状体Ｉが引掛かった状態を示す斜視図である。
【００４６】
この球戻り防止装置５０は、発射レール１２の出口開口１２ｃから遊技領域ＰＡに放出された遊技球Ｂが再び発射レール１２へ逆戻りするのを防止する本来の働きと共に、前述のような糸付球ＢＩを用いた不正入賞行為を抑止する働きを担っている。遊技中、遊技球発射装置によって打球発射され発射レール１２を通ってきた遊技球Ｂは、図１３に示すように、球戻り防止装置５０の揺動部材９０の開閉部９３（発射側接触面９３ａ）に衝突してこれを時計回り方向に押圧し、揺動部材９０はその押圧力によって時計回り方向へ揺動することになるので、出口開口１２ｃは開放され、遊技球Ｂは遊技領域ＰＡ内へ放出される。出口開口１２ｃを遊技球Ｂが通過すると、揺動部材９０はウェイト部９５の自重により反時計回り方向（逆方向）に揺動し、後続の遊技球が到達する前に非揺動位置に戻る。これにより、遊技領域ＰＡ内の遊技球Ｂが遊技盤１０上のゴムクッション等において跳ね返り、揺動部材９０の開閉部９３（戻り側接触面９３ｂ）に右方から衝突してこれを左方向（反時計回り方向）に押圧したとしても側壁部７３によって揺動部材９０はその方向への揺動はできず、非揺動位置の姿勢が保持されるので、遊技領域ＰＡからの戻り球（遊技球Ｂ）は揺動部材９０の開閉部９３によって遊技領域ＰＡ内に弾き出される。
【００４７】
一方、糸状体Ｉの取り付けられた糸付球ＢＩが遊技球発射装置によって打球発射され、前述のように球戻り防止装置５０を越えて出口開口１２ｃから遊技領域ＰＡ内へ放出されると、該糸付球ＢＩは重力の作用を受けて遊技盤１０上を流下するので、該糸付球ＢＩに付けられた糸状体Ｉが揺動部材９０の開閉部９３先端に引掛けられ繋留された状態となる（図１４（Ａ）を参照）。この状態から不正行為者によって、糸付球ＢＩが例えば一般入賞装置１５の入賞口１５ａを経て入賞球検出器１５ｓまで誘導され、この糸付球ＢＩを入賞球検出器１５ｓの導入口に繰り返し通過させるために、外部から糸状体Ｉを引張ったり送り込んだりする操作が行われると、この糸状体Ｉが揺動部材９０における開閉部９３先端の刃状の切断部９４に摺接して切断されるため、該糸付球ＢＩから糸状体Ｉを分断して不正な操作を抑止することができる。従って、糸状体の付いた遊技球を不正に操作して入賞球検出器に連続的な入賞を検出させる不正入賞行為を効果的に抑止して損害の発生を未然に防止することが可能になる。
【００４８】
また、糸状体Ｉが揺動部材９０の開閉部９３先端に引掛けられ繋留された状態において、発射レール１２を通ってきた後続の遊技球が揺動部材９０を押圧してこの揺動部材９０を時計回り方向へ揺動させると、揺動部材９０のウェイト部９５が出口開口１２ｃ側に突出し、糸状体Ｉが遊技球（糸付球ＢＩ）の通過方向に対して直交する方向に偏倚して設けられた複数のＶ字溝９７のザグリ部９８に互い違いの位置で引掛かり二点間において係止されることで、糸状体Ｉに適度な張力を付与することができる。そのため、揺動部材９０の開閉部９３先端に繋留された糸状体Ｉを切断部９４に深く喰い込ませて圧接することができるため、この刃状の切断部９４によって糸状体Ｉを切断し易くなり、糸付球ＢＩから糸状体Ｉをより確実に分断することが可能になる。
【００４９】
さらに、糸状体Ｉが揺動部材９０の開閉部９３先端に引掛けられ繋留された状態で、発射レール１２を通ってきた後続の遊技球が揺動部材９０を押圧してこの揺動部材９０を時計回り方向へ揺動させると、揺動部材９０のウェイト部９５が出口開口１２ｃ側に突出し、このウェイト部９５に設けられた突起部９６の刃状の縁部９６ａ（切断部）が糸状体Ｉに圧接するため、第１の切断部９４のみならず第２の切断部である縁部９６ａによっても糸状体Ｉを切断することが可能である。
【００５０】
以上、このように構成される弾球遊技機の球戻り防止装置５０によれば、遊技球に取り付けた釣糸等の糸状体を不正に操作して入賞球検出器において遊技球の入賞を連続的に検出させる不正入賞行為を効果的に抑止することが可能である。
【００５１】
これまで本発明の好ましい実施形態について説明してきたが、本発明の範囲はこれに限定されるものではない。例えば、上述の実施形態において、切断部９４としては揺動部材９０に一体的に形成された樹脂成形品に限定されず、金属製の切断刃を揺動部材９０の先端部に備えるものでもあってもよく、その切断刃の形状についても鋸刃形状（テープカッタ形状）の他に、平刃形状、三角刀形状、丸刀形状などに形成してもよい。
【００５２】
また、上述の実施形態において、揺動部材９０をウェイト部９５（錘９９）の自重を利用して最大揺動位置（出口開口１２ｃを開放する位置）から非揺動位置（出口開口１２ｃを閉止する位置）へ揺動復帰するように構成したが、これに限定されるものではなく、揺動部材９０を非揺動位置方向（図６等における反時計回り方向）へ付勢するバネ等の付勢手段を別途設けて構成してもよい。
【００５３】
なお、以上説明した実施形態では、本発明の適用対象となる弾球遊技機の一例として、パチンコ機を例示して説明したが、これに限定されるものではなく、例えば、アレンジボール、雀球遊技機などについても同様に適用し、同様の効果を得ることができるものである。
【符号の説明】
【００５４】
ＰＭ    パチンコ機（弾球遊技機）
ＰＡ    遊技領域
Ｂ      遊技球
ＢI      糸付球
Ｉ      糸状体
１０    遊技盤
１２    発射レール
１２ｃ  出口開口
５０    球戻り防止装置
６０    揺動部材支持体
６１    支軸（揺動軸）
９０    揺動部材
９１    基部
９３    開閉部
９４    切断部（第１の切断部）
９５    ウェイト部
９６    突起部
９６ａ  縁部（第２の切断部）
９７    Ｖ字溝
９８    ザグリ部（Ｖ字溝の溝底）
９９    錘
【図１】
2012050767.tif 000003
【図２】
2012050767.tif 000004
【図３】
2012050767.tif 000005
【図４】
2012050767.tif 000006
【図５】
2012050767.tif 000007
【図６】
2012050767.tif 000008
【図７】
2012050767.tif 000009
【図８】
2012050767.tif 000010
【図９】
2012050767.tif 000011
【図１０】
2012050767.tif 000012
【図１１】
2012050767.tif 000013
【図１２】
2012050767.tif 000014
【図１３】
2012050767.tif 000015
【図１４】
2012050767.tif 000016
【図１５】
2012050767.tif 000017